(57)【要約】【課題】サイズの大きなファイルを縮小や圧縮をせずに携帯電話に転送し、受信した携帯電話で閲覧することを可能とする。【解決手段】受信したファイルのファイル形式を判定するファイル形式判定手段と、ファイルの形式が所定の画像ファイル形式でなかった場合に所定の画像ファイル形式に変換を行うファイル形式変換手段と、ファイル形式を所定の画像ファイル形式に変換した後に、縦及び横のピクセル数を取得し、所定の大きさのタイル状の複数の子画像に分割し、連番のファイル名を付すファイル分割手段と、分割後の各画像ファイル及びその全体画像における位置関係を特定する位置情報をまとめて特定のフォルダに格納する記憶手段と、少なくとも前記フォルダのＵＲＬへのリンク情報を本文の中に含む電子メールを作成し前記受信者の携帯メールアドレスに送信する電子メール発行手段とを具備したファイル転送サーバを設ける。【選択図】図３
2008071125.tif 000002
【特許請求の範囲】
【請求項１】
受信者の携帯メールアドレスを指定して、該携帯メールアドレスへファイルの転送を依頼する送信者の端末と、前記送信者から送信された前記ファイルを受信者の携帯メールアドレスに転送するファイル転送サーバと、前記ファイルを受信して表示する受信者の携帯電話とが、通信ネットワークを介して相互に通信可能に接続された携帯電話向けファイル転送システムであって、
前記端末は、少なくとも前記送信者の識別情報、前記受信者の前記携帯メールアドレス、及び前記端末における前記ファイルの格納アドレスを入力するための入力手段を具備し、
前記ファイル転送サーバは、受信した前記ファイルのファイル形式を判定するファイル形式判定手段と、判定の結果、前記ファイルのファイル形式が所定の画像ファイル形式でなかった場合に前記所定の画像ファイル形式にファイル変換を行うファイル形式変換手段と、前記所定の画像ファイル形式に変換した後に、前記画像ファイルの縦及び横のピクセル数を取得し、所定の大きさのタイル状の複数の子画像に分割し、連番のファイル名を付すファイル分割手段と、前記分割後の各画像ファイル及びその全体画像における位置関係を特定する位置情報をまとめて特定のフォルダに格納する記憶手段と、少なくとも前記記憶手段の前記フォルダのＵＲＬへのリンク情報を本文の中に含む電子メールを作成し、前記受信者の携帯メールアドレスに送信する電子メール発行手段と、外部との通信を行う通信手段と、前記各手段を所定の制御プログラムによって制御する制御手段とを具備するとともに、
前記受信者が前記携帯電話で前記電子メールを受信して、前記ＵＲＬを手掛かりとして前記フォルダにアクセスすると、前記連番で付されたファイル名の順に前記分割された画像ファイル及び前記位置情報が前記携帯電話にダウンロードされることを特徴とする携帯電話向けファイル転送システム。
【請求項２】
前記所定の大きさのタイル状の複数の子画像に分割する際に、分割画像のファイル形式を、前記携帯電話で閲覧可能な標準の画像ファイル形式に変換することを特徴とする請求項１に記載の携帯電話向けファイル転送システム。
【請求項３】
前記分割後の各画像の全体画像における位置関係を特定する位置情報が、分割前の前記画像ファイルの大きさを表す座標情報と縦横の分割枚数情報とを含むことを特徴とする請求項１又は２に記載の携帯電話向けファイル転送システム。
【請求項４】
前記端末の入力手段から、前記受信者に対する伝言メッセージが入力されるとともに、前記電子メールの本文の中に前記伝言メッセージが挿入されて前記携帯電話に送信されることを特徴とする請求項１乃至３のいずれかに記載の携帯電話向けファイル転送システム。
【請求項５】
前記携帯電話に表示された前記分割する前の全体画像の中の任意のエリアを矩形カーソルによって指定すると、前記矩形カーソルの内側に含まれる座標を一部に有するすべての前記分割画像ファイルが前記携帯電話のメモリ（ＲＡＭ）に展開され、表示可能になることを特徴とする請求項３又は４に記載の携帯電話向けファイル転送システム。
【請求項６】
前記所定の画像ファイル形式がＰＮＧ形式である請求項１乃至５のいずれかに記載の携帯電話向けファイル転送システム。
【請求項７】
前記標準の画像ファイル形式がＪＰＥＧ形式又はＧＩＦ形式である請求項２乃至６のいずれかに記載の携帯電話向けファイル転送システム。
【請求項８】
前記送信者の識別情報は、送信者の氏名及び／又は電子メールアドレスである請求項１乃至７のいずれかに記載の携帯電話向けファイル転送システム。
【発明の詳細な説明】
【技術分野】
【０００１】
本発明は、携帯電話向けのファイル転送システムに関し、特に、従来では不可能であった５００ＫＢを超えるサイズのファイルを、縮小や圧縮をせずに携帯電話に転送し、受信した携帯電話で閲覧することを可能とするファイル転送システムに関する。
【背景技術】
【０００２】
従来、インターネット等に接続されたパソコン等の端末から携帯電話に画像ファイル（ラスタ形式又はベクタ形式）を送る場合、携帯の電子メールにその画像ファイルを添付して送信することが行われている。
【０００３】
しかしながら、携帯電話の通信回線の通信速度や、携帯電話の画面の大きさ等の制限により、添付できるファイルのサイズには制限が設けられていた。例えば、株式会社ＮＴＴドコモの標準サービスでは、添付されたファイルのサイズが２ＭＢを超える場合はサーバで破棄され、２ＭＢ以下のファイルは携帯電話の液晶画面に収まるサイズに自動的に圧縮（縮小）された後、携帯電話に転送される仕組みとなっている。
このため、拡大して閲覧する必要のある地図画像、建築図面、又は高解像度な写真データ等のデータサイズの大きなファイルを携帯電話で受信して閲覧することが困難であった。
【特許文献１】特開２００１−５３７８６号公報
【発明の開示】
【発明が解決しようとする課題】
【０００４】
本発明は上述のような問題点に鑑み為されたものであり、高解像度の画像ファイルのようなサイズの大きなファイルを縮小や圧縮をせずに携帯電話に転送し、受信した携帯電話で閲覧することを可能とするファイル転送システムを提供することを目的とする。
【課題を解決するための手段】
【０００５】
上記課題を解決するための請求項１に係る発明は、受信者の携帯メールアドレスを指定して、該携帯メールアドレスへファイルの転送を依頼する送信者の端末と、前記送信者から送信された前記ファイルを受信者の携帯メールアドレスに転送するファイル転送サーバと、前記ファイルを受信して表示する受信者の携帯電話とが、通信ネットワークを介して相互に通信可能に接続された携帯電話向けファイル転送システムであって、前記端末は、少なくとも前記送信者の識別情報、前記受信者の前記携帯メールアドレス、及び前記端末における前記ファイルの格納アドレスを入力するための入力手段を具備し、前記ファイル転送サーバは、受信した前記ファイルのファイル形式を判定するファイル形式判定手段と、判定の結果、前記ファイルのファイル形式が所定の画像ファイル形式でなかった場合に前記所定の画像ファイル形式にファイル変換を行うファイル形式変換手段と、前記所定の画像ファイル形式に変換した後に、前記画像ファイルの縦及び横のピクセル数を取得し、所定の大きさのタイル状の複数の子画像に分割し、連番のファイル名を付すファイル分割手段と、前記分割後の各画像ファイル及びその全体画像における位置関係を特定する位置情報をまとめて特定のフォルダに格納する記憶手段と、少なくとも前記記憶手段の前記フォルダのＵＲＬへのリンク情報を本文の中に含む電子メールを作成し、前記受信者の携帯メールアドレスに送信する電子メール発行手段と、外部との通信を行う通信手段と、前記各手段を所定の制御プログラムによって制御する制御手段とを具備するとともに、前記受信者が前記携帯電話で前記電子メールを受信して、前記ＵＲＬを手掛かりとして前記フォルダにアクセスすると、前記連番で付されたファイル名の順に前記分割された画像ファイル及び前記位置情報が前記携帯電話にダウンロードされることを特徴とする。
【０００６】
また、上記課題を解決するための請求項２に係る発明は、前記携帯電話向けファイル転送システムにおいて、前記所定の大きさのタイル状の複数の子画像に分割する際に、分割画像のファイル形式を、前記携帯電話で閲覧可能な標準の画像ファイル形式に変換することを特徴とする。
【０００７】
さらに、上記課題を解決するための請求項３に係る発明は、前記携帯電話向けファイル転送システムにおいて、前記分割後の各画像の全体画像における位置関係を特定する位置情報が、分割前の前記画像ファイルの大きさを表す座標情報と縦横の分割枚数情報とを含むことを特徴とする
【０００８】
またさらに、上記課題を解決するための請求項４に係る発明は、前記携帯電話向けファイル転送システムにおいて、前記端末の入力手段から、前記受信者に対する伝言メッセージが入力されるとともに、前記電子メールの本文の中に前記伝言メッセージが挿入されて前記携帯電話に送信されることを特徴とする。
【０００９】
さらにまた、上記課題を解決するための請求項５に係る発明は、前記携帯電話向けファイル転送システムにおいて、前記携帯電話に表示された前記分割する前の全体画像の中の任意のエリアを矩形カーソルによって指定すると、前記矩形カーソルの内側に含まれる座標を一部に有するすべての前記分割画像ファイルが前記携帯電話のメモリ（ＲＡＭ）に展開され、表示可能になることを特徴とする。
【発明の効果】
【００１０】
本発明に係る携帯電話向けファイル転送システムによれば、送信者からアップロードされたファイルがサーバで分割されてから受信者の携帯電話にダウンロードされるため、従来の携帯電話では受信できなかったサイズの大きな画像ファイルでも、圧縮することなく受信して閲覧することが可能となる。
また、分割することによって、ダウンロードした画像から順に表示することが可能となるというメリットもある。
【００１１】
さらには、アップロードされたファイルがどのようなファイル形式であっても、最終的には、サーバ側で自動的に携帯電話で閲覧可能な標準ファイル形式であるJPEG形式またはGIF形式に変換するので、携帯電話側ではJPEG形式またはGIF形式の画像を閲覧できるビューワを備えているだけでよいというメリットもある。
【発明を実施するための最良の形態】
【００１２】
以下、本発明に係る携帯電話向けファイル転送システムの好適な実施形態について、図面を参照しつつ詳細に説明する。
【００１３】
図１は本発明に係る携帯電話向けファイル転送システムの構成を示す概略図であり、受信者の携帯メールアドレスを指定して、該携帯メールアドレスへファイルの転送を依頼する送信者の端末１と、送信者から送信されたファイルを受信者の携帯メールアドレスに転送するファイル転送サーバ２と、ファイルを受信して表示する受信者の携帯電話３とが、インターネット等の通信ネットワーク４を介して相互に通信可能に接続されている。なお、携帯電話通信システム５は、携帯電話事業者ごとに設置運営されるアンテナ、基地局、通信ネットワーク４への接続を行うＩＳＰサーバ（メールサーバも含む）等で構成されるものであり、既存の事業者のシステムが利用可能である。
【００１４】
図２はファイル転送サーバ３の構成を示すブロック図である。ファイル転送サーバ３は、
受信したファイルのファイル形式を判定するファイル形式判定手段３１と、判定の結果、ファイルのファイル形式が所定の画像ファイル形式（例えば、PNG形式）でなかった場合にPNG形式にファイル変換を行うファイル形式変換手段３２と、ファイル形式をPNG形式に変換した後に、画像ファイルの縦及び横のピクセル数を取得し、所定の大きさ（２４０×２４０）のタイル状の複数の子画像に分割するとともに標準の画像ファイル形式(例えばJPEG形式又はGIF形式)に変換し、連番のファイル名を付すファイル分割手段３３と、前記分割後の各画像ファイル及びその全体画像における位置関係を特定する位置情報（分割前の画像ファイルの大きさを表す座標情報、縦横の分割枚数情報を含む）をまとめて特定のフォルダに格納する記憶手段３４と、少なくとも記憶手段３４のフォルダのＵＲＬへのリンク情報を本文の中に含む電子メールを作成し、受信者の携帯メールアドレスに送信する電子メール発行手段３５と、外部との通信を行う通信手段３６と、前述の各手段を所定の制御プログラムによって制御する制御手段３７とを具備している。
【００１５】
図３のフローチャートに基づいて処理の流れを具体的に説明する。
まず、ファイルを携帯電話に送信することを希望する者(送信者)がインターネット等のネットワークに接続された端末（パソコン又は携帯情報端末）からファイル転送サーバ３にアクセスし、携帯電話向けのファイル転送を依頼するための入力画面を呼び出す。図４はその入力画面の一例を示すものである。この入力画面で、送信者の名前、メールアドレス、相手（受信者）の携帯電話のメールアドレス(携帯メールアドレス)、送信するファイルが格納されている端末１内（又は端末１に接続された外部記憶媒体）のアドレスを入力する。また、必要であれば受信者への伝言メッセージ(題名及び本文)を入力する。入力が完了し、「ファイルを送信する」ボタンをクリックするとこれらの情報とともにファイルがファイル転送サーバ３にアップロードされる（ステップＳ１）。
【００１６】
ファイルを受信したファイル転送サーバ３では、まず、送られたファイルの形式が所定の画像ファイル形式であるPNG形式であるかをファイル形式判定手段３１によって判定する。ファイル形式はファイルの拡張子によって判定することができる。
このとき、もし、当該ファイルのファイル形式がPNG形式でなければ（ステップＳ２のＮＯ）、そのファイル形式をファイル形式変換手段３２によってPNG形式に変換し（ステップＳ３）、当該ファイルのファイル形式がPNG形式であれば（ステップＳ２のＹＥＳ）、次のステップに進む。この場合、画像の劣化を伴わない変換方式であることが好ましく、上記PNG形式に限らず、例えば、BMP形式等であってもよい。
【００１７】
次に、ファイル分割手段３３において、PNG形式に変換された画像全体の縦×横のピクセル数を取得し、携帯電話で閲覧できるサイズ（２４０×２４０）にタイル状に分割するとともに、携帯電話で閲覧可能な標準の画像ファイル形式（例えばJPEG形式又はGIF形式）に変換する（ステップＳ４）。分割したタイル状画像に連番のファイル名を付す（ステップＳ５）。ここで、PNG形式の画像ファイルのビューワが携帯電話に標準で装備されるようになれば、この標準の画像ファイル形式（JPEG等）への変換は不要となる。
なお、JPEG形式にするかGIF形式にするかは、このファイル転送サービスを行うファイル転送サーバ３によって予めどちらかに設定されている。JPEG形式は写真等のグラフィック画像、GIF形式は文書や図面等の線画画像に適しており、どちらを多く扱うかで決められるが、必ずしもこれに限られるものではない。送信者から送られたファイルの拡張子を基にして予め決めたロジックでJPEG形式にするかGIF形式にするかをサーバが決定するようにしてもよい。例えば、そのファイルの拡張子が文書系（doc、xls、PDFなど）であればGIF形式に、画像系（BMP、TIFFなど）であればJPEG形式に、というような決め方でもよい。
【００１８】
次に、分割前の全体画像の大きさ（位置）を示す座標情報（例えば、左上隅を原点とした場合の右下隅の座標で表す。）と、縦及び横の分割枚数情報（縦及び横のピクセル数をそれぞれ２４０で割れば求められる。）とを含む位置情報と、各分割タイル画像ファイルとを記憶手段３４の特定のフォルダに一緒にして格納する（ステップＳ６）。
【００１９】
次に、上記フォルダのＵＲＬ情報を本文の中に記載した電子メールを電子メール発行手段３５で作成し、受信者の携帯メールアドレスに送信する（ステップＳ７）。図５は、送信メールの一例を示すものであり、図４の入力画面で入力された伝言メッセージ（題名及び本文）が送信メールに挿入されている。また、上記フォルダのＵＲＬ情報は、「ファイルを見る」という文にリンク情報として埋め込まれている。なた、送信者のメールアドレスも電子メールの送信者欄に挿入される。
【００２０】
上記電子メールを携帯電話で受信した受信者は、メール本文に書かれている「ファイルを見る」（フォルダＵＲＬにリンクされている。）をクリックすると、自動的に上記フォルダに接続され、分割された画像ファイル及び位置情報が携帯電話２の記憶装置（図示せず）にダウンロードされる（ステップＳ８）。
【００２１】
ダウンロードされた分割タイル画像は読み込んだ順から順次表示される（ステップＳ９）。また、同時に読み込んだ上記位置情報とカーソルとをリンクさせることにより、カーソルで指定した領域に関連する分割タイル画像のみをメモリ（ＲＡＭ）に読み出すようにすることができる。すなわち、分割前の全体画像の大きさを表す座標情報と縦横の分割枚数情報が分かっているので、各分割されたタイル画像の座標も計算で求められる。そこで、カーソルで指定した領域に含まれる座標を一部に含むタイル画像が抽出可能となるのである。
このようにすることにより、カーソルで指定していない箇所の画像はメモリに展開されないので、いわゆる「メモリの無駄使い」がなくなる。このため、携帯電話の少ないメモリ領域でも高解像度の画像閲覧が可能となる。
【図面の簡単な説明】
【００２２】
【図１】本発明に係る携帯電話向けファイル転送システムの構成を示す概略図である。
【図２】ファイル転送サーバの構成を示すブロック図である。
【図３】本発明に係る携帯電話向けファイル転送システムにおける処理の流れを示すフローチャートの一例である。
【図４】ファイル転送を依頼するための入力画面の一例を示すものである。
【図５】作成された電子メールの内容を示す一例である。
【符号の説明】
【００２３】
１  送信者端末
２  受信者の携帯電話
３  ファイル転送サーバ
４  通信ネットワーク
【図１】
2008071125.tif 000003
【図２】
2008071125.tif 000004
【図３】
2008071125.tif 000005
【図４】
2008071125.tif 000006
【図５】
2008071125.tif 000007